(57)【特許請求の範囲】
【請求項１】
画像形成装置からのシートを搬送するシート搬送部と、前記シート搬送部により搬送されたシートを処理するシート処理部とを備えたシート処理装置において、
前記画像形成装置と前記シート処理部との間に、前記画像形成装置を通過させないシートを収納する収納部と、前記収納部に収納されたシートをあらかじめ指定した順番で前記シート搬送部に搬送する給紙手段とを備えたシート挿入装置を設けると共に、前記シート処理部で処理を行っている間、前記画像形成装置、及び前記シート挿入装置からの所定枚数のシートを待機させるシート待機手段を前記シート搬送部に設け、
前記シート待機手段は、所定枚数のシートを直線的な状態で、かつ端部が一致するように順次重ね合わせる重ね合わせ手段と、前記重ね合わされたシート束を搬送する束搬送手段とを備え、前記重ね合わせ手段は、前記シートの端部を一致させるための突き当て部と、前記突き当て部にシートを突き当てる突き当て手段と、前記突き当て部に突き当たったシートの前記突き当て部側と反対側の端部を押える押え手段とを備え、前記押え手段は、前記シートの上に次のシートを重ねる際は前記シートの端部を押え、前記次のシートを重ねた後、前記シートから離間して前記次のシートの端部を押えることを特徴とするシート処理装置。
【請求項２】
前記突き当て部、前記突き当て手段及び押え手段を保持し、シート搬送方向に往復移動可能な移動台を備えたことを特徴とする請求項１記載のシート処理装置。
【請求項３】
前記移動台を前記シートのシートサイズに応じて移動させることを特徴とする請求項２記載のシート処理装置。
【請求項４】
前記押え手段を保持してシート搬送方向に往復移動可能な移動台を備えたことを特徴とする請求項１記載のシート処理装置。
【請求項５】
前記移動台を移動させ、前記押え手段を前記シートの端部から離れる位置に移動させた後、前記シートの端部を押える位置に移動させるようにしたことを特徴とする請求項４記載のシート処理装置。
【請求項６】
前記シート搬送部は、前記シート処理部に搬送されるシートが通過するシート搬送路を備え、前記シート待機手段を前記シート搬送路に配置したことを特徴とする請求項１乃至５のいずれか１項に記載のシート処理装置。
【請求項７】
前記押え手段は、上下方向に回動可能で、かつ下方回動する際に、前記シートの端部を押えるフラッパであることを特徴とする請求項１乃至６のいずれか１項に記載のシート処理装置。
【請求項８】
前記シート搬送部は、前記シート処理部に搬送されるシートが通過するシート搬送路を備え、前記シート待機手段を前記シート搬送路の上方または下方に配置した中間トレイに設けたことを特徴とする請求項１乃至７のいずれか１項に記載のシート処理装置。
【請求項９】
前記シート処理部を前記シート待機手段の上方又は下方に設けたことを特徴とする請求項１乃至８のいずれか１項に記載のシート処理装置。
【請求項１０】
前記シート搬送部は、画像形成装置からのシートを前記シート処理部に搬送するものであることを特徴とする請求項１乃至９のいずれか１項に記載のシート処理装置。
【発明の詳細な説明】
【０００１】
【発明の属する技術分野】
本発明は、シートの仕分け、綴じ等の処理を行うシート処理装置に関し、特にシートをシート処理部に搬送するシート搬送部の構成に関する。
【０００２】
【従来の技術】
従来、例えば複写機、プリンタ、ファクシミリ等の画像形成装置においては、画像形成した後のシートに対して、ステイプルや中綴じ製本等の処理を選択的に施すシート処理装置を備えたものがある。
【０００３】
ところで、このようなシート処理装置においては、例えばステイプル等の処理部の上流側に複数枚のシートを待機させておくバッファパスを設け、このバッファパスによってシートを待機させることにより、画像形成装置、例えばプリンタの生産性を低下させることなく処理を行うことができるようにしている。
【０００４】
図１０は、このようなシート処理装置を備えた従来の高速大容量の画像形成が可能な画像形成装置の構成を示すものであり、画像形成装置１００から排出されたシートＳは、シート処理装置１０２に搬送された後、シート処理装置１０２に設けられた処理トレイ部１０３にて整合され、この後、ステイプラ１０４によりステイプル処理されてスタックトレイ１０５に排出されるようになっている。
【０００５】
ここで、このようにシート束のステイプル処理を行っている間は次のシートを処理トレイ部１０３に搬入することが出来ないため、このような場合にはフラッパ１０２ａにより搬送路を切り換えて順次、バッファローラ１０６にシートを先端を合わせて重ね合わせて巻き付け、バッファパスＰａ内に待機させるようにする。
【０００６】
そして、ステイプル処理が終了して前のシート束がスタックトレイ１０５に排出されると、シートを重ねた状態で処理トレイ部１０３に搬送する。この動作を繰り返すことにより、画像形成装置１００の生産性を低下させることなく、ステイプル処理を行うことができる。
【０００７】
ところで、同図において、１１４はプリントが不要なシートをセットするためのインサータであり、１０７ａ、１０７ｂはインサータ１１４に設けられた収納部、１１５は収納部１０７ａ，１０７ｂに収納されたシートＳを給送する給送部である。
【０００８】
ここで、このインサータ１１４は、本画像形成装置１００が白黒プリント専用機であって、かつ製本の中にカラー印刷シートを挿入したい場合、または特殊なシート（熱に弱いシート等）で本画像形成装置１００の画像形成部１００Ａを通過させることが出来ない場合、それらのシートＳ１を収納部１０７ａ，１０７ｂに収納すると共に、画像形成部１００ＡからのシートＳに合流させてシート処理装置１０２に搬送するためのものである。
【０００９】
また、同図において、１０８はステイプルから束折りまでをオンラインで行う中綴じ部である。なお、上記のような高速大容量の画像形成装置１００に接続されるシート処理装置１０２としては、中綴じ部１０８の他にも、整合されたシート束に背表紙を糊付けし製本する無線綴じ機、また仕分け整合のみを行い、製本作業をオフラインで行うためのオフセットスタッカー等があり、その用途に従いシステムに接続して使用することができるようになっている。
【００１０】
【発明が解決しようとする課題】
しかしながら、このような従来のシート処理装置において、内部にバッファパスＰａを設けているため装置自体が大型化してしまうという欠点があった。
【００１１】
すなわち、図１０のバッファローラ１０６の大きさでは、Ａ３、Ｂ４といったラージサイズのシートを巻き付けることはできず、ラージサイズのシートを待機させようとすると、さらに大きなバッファローラが必要になる。
【００１２】
また、バッファローラ１０６に厚手のシートを巻き付けようとすると、シートの腰が強いため搬送抵抗が大きくなり、斜行やジャムの原因となる。さらに、バッファローラ１０６によりバッファパスＰａを構成した場合、曲率をもったパス内でシートを搬送しながら重ね合わせを行うため、重ねられるシート枚数にも制限があり、無線綴じ製本のような時間のかかる処理を行う場合には画像形成装置側の生産性を低下させてしまう場合もある。
【００１３】
そこで、本発明は、このような現状に鑑みてなされたものであり、サイズや材質に拘らず、かつ装置自体を大型化することなく多量のシートを待機させることのできるシート処理装置を提供することを目的とする。
【００１４】
【課題を解決するための手段】
本発明は、画像形成装置からのシートを搬送するシート搬送部と、前記シート搬送部により搬送されたシートを処理するシート処理部とを備えたシート処理装置において、前記画像形成装置と前記シート処理部との間に、前記画像形成装置を通過させないシートを収納する収納部と、前記収納部に収納されたシートをあらかじめ指定した順番で前記シート搬送部に搬送する給紙手段とを備えたシート挿入装置を設けると共に、前記シート処理部で処理を行っている間、前記画像形成装置、及び前記シート挿入装置からの所定枚数のシートを待機させるシート待機手段を前記シート搬送部に設け、前記シート待機手段は、所定枚数のシートを直線的な状態で、かつ端部が一致するように順次重ね合わせる重ね合わせ手段と、前記重ね合わされたシート束を搬送する束搬送手段とを備え、前記重ね合わせ手段は、前記シートの端部を一致させるための突き当て部と、前記突き当て部にシートを突き当てる突き当て手段と、前記突き当て部に突き当たったシートの前記突き当て部側と反対側の端部を押える押え手段とを備え、前記押え手段は、前記シートの上に次のシートを重ねる際は前記シートの端部を押え、前記次のシートを重ねた後、前記シートから離間して前記次のシートの端部を押えることを特徴とするものである。
【００１６】
また本発明は、前記突き当て部、前記突き当て手段及び押え手段を保持し、シート搬送方向に往復移動可能な移動台を備えたことを特徴とするものである。
【００１７】
また本発明は、前記移動台を前記シートのシートサイズに応じて移動させることを特徴とするものである。
【００１８】
また本発明は、前記押え手段を保持してシート搬送方向に往復移動可能な移動台を備えたことを特徴とするものである。
【００１９】
また本発明は、前記移動台を移動させ、前記押え手段を前記シートの端部から離れる位置に移動させた後、前記シートの端部を押える位置に移動させるようにしたことを特徴とするものである。
【００２０】
また本発明は、前記シート搬送部は、前記シート処理部に搬送されるシートが通過するシート搬送路を備え、前記シート待機手段を前記シート搬送路に配置したことを特徴とするものである。
【００２１】
また本発明は、前記押え手段は、上下方向に回動可能で、かつ下方回動する際に、前記シートの端部を押えるフラッパであることを特徴とするものである。
【００２２】
また本発明は、前記シート搬送部は、前記シート処理部に搬送されるシートが通過するシート搬送路を備え、前記シート待機手段を前記シート搬送路の上方または下方に配置した中間トレイに設けたことを特徴とするものである。
【００２３】
また本発明は、前記シート処理部を前記シート待機手段の上方又は下方に設けたことを特徴とするものである。
【００２４】
また本発明は、前記シート搬送部は、画像形成装置からのシートを前記シート処理部に搬送するものであることを特徴とするものである。
【００２５】
【発明の実施の形態】
以下、本発明の実施の形態について図面を用いて詳細に説明する。
【００２６】
図１は、本発明の第１の実施の形態に係るシート処理装置を備えた画像形成装置の概略構成を示す図である。
【００２７】
同図において、１は画像形成装置、１Ａは画像形成装置本体、１４は画像形成装置１の下流に並設されたシート挿入装置であるインサータ、１５、１６はインサータ１４の下流に設けられたシート処理装置であるステイプルスタッカ及び中綴じスタッカである。
【００２８】
ここで、画像形成装置１は、感光ドラム１０、定着部１１等を備えた画像形成部１Ｂと、カセット１ａに収納されたシートＳを画像形成部１Ｂに給送するシート給送部１Ｃとを備えている。
【００２９】
そして、画像形成の際には、まずレーザ光を感光ドラム１０上に照射して感光ドラム１０上に静電潜像を形成し、この後、この静電潜像を可視像化する。また、レーザ光の照射開始と同期したタイミングで各カセット１ａまたは両面搬送パス１２からシートＳを給送する。
【００３０】
次に、このシートＳを感光ドラム１０と転写部１０ａとの間に搬送し、シートＳが感光ドラム１０と転写部１０ａとの間を通過する際、現像剤像を転写部１０ａによりシート上に転写する。さらに、このように現像剤像が転写されたシートを定着部１１に搬送し、この定着部１１において熱圧することによって現像剤像をシート上に定着する。
【００３１】
そして、このように現像剤像が定着されたシートＳを、この後、不図示のフラッパおよび排出ローラ１６を経てインサータ１４に向けて排出する。なお、シートＳの両面に画像形成を行う場合には、フラッパの切換動作によりシートＳを反転パス１２に導いた後、上述したタイミングで感光ドラム１０と転写部１０ａとの間に再度搬送する。
【００３２】
また、同図において、１３ａ、１３ｂ、１３ｃは、画像形成装置１の下流に設けられた複数、本実施の形態においては３つのシート搬送部であり、このシート搬送部１３ａ，１３ｂ，１３ｃは、シートＳを搬送する略水平方向に延びた直線状のシート搬送路Ｐｃを有している。
【００３３】
ここで、画像形成装置１に一番近いシート搬送部１３ａの下方にはプリントを必要としない、言い換えれば画像形成装置１を通過させない挿入シートＳ１がセットされる２つのシート収納部１４ａ，１４ｂと、このシート収納部１４ａ，１４ｂに収納されたシートを予め指定した順番で搬送する搬送手段であるシート給送部１４ｃを備えるインサータ１４が配置されている。なお、このインサータ１４のシート収納部１４ａ，１４ｂ及びシート給送部１４ｃは、画像形成装置１のカセット１ａ及びシート給送部１Ｃと同じ構成のものであり、互換性を有している。
【００３４】
また、このシート搬送部１３ａの下流に配されたシート搬送部１３ｂ，１３ｃの下方には、処理部であるステイプラ２０、コンテナ２１、パドル装置１９等を備え、シート束の整合、仕分けを行い積載するためのステイプルスタッカ１５、及び処理部であるシートの中央部２箇所にステイプルを行うステイプラ２２、シート中央部を折りスタッカ２４に排出する折り装置２３を備えた中綴じスタッカ１６が配されている。
【００３５】
そして、このように構成することにより、インサータ１４のシート収納部１４ａ，１４ｂに収納された挿入シートＳ１は、シート搬送路Ｐｃを経て画像形成装置１を通過してきたシートＳの間に予め指定した順番で挿入され、設定されたモード、例えばステイプルモード、或いは製本モードにしたがってステイプルスタッカ１５、或いは中綴じスタッカ１６に搬送される。
【００３６】
なお、ステイプルスタッカ１５に搬送されたシートＳ、Ｓ１は、まず搬入ローラ１７から処理トレイ１８上に搬送され、この後、パドル装置１９によりステイプラ２０に突き当てられて整合される。そして、ステイプルスタッカ１５は、この後、このように整合されたシートＳ、Ｓ１をステイプラ２０により綴じ、このような綴じ処理が終了すると、ステイプラ２０を移動させ、コンテナ２１上に排出積載する。なお、積載が進むとコンテナ２１は徐々に下方に下がり、満載後は手前側に引き出し、次工程に搬送することができる。
【００３７】
また、中綴じスタッカ１６に搬送されたシートは、まずステイプラ２２により中央部２箇所にステイプルが行われ、この後、折り装置２３によりシート中央部が折られてスタッカ２４上に排出される。
【００３８】
ところで、同図において、９はシート搬送部１３ａに設けられたシート待機手段であるシート待機部であり、このシート待機部９は、ステイプルスタッカ１５、或いは中綴じスタッカ１６（以下、ステイプルスタッカ１５等という）が処理を行っている間、画像形成装置１及びインサータ１４から搬送される所定枚数のシートＳ，Ｓ１を重ね合わせた状態で待機させておくことができるように構成されている。
【００３９】
ここで、このシート待機部９は、図２の（ａ）及び（ｂ）に示すように支軸３８を支点として回動可能に支持された揺動ガイド２８と、ソレノイド２７により支軸３７を中心に上方回動する押え手段である後端フラッパ２６と、搬入ローラ２５と、回動可能に設けられた突き当て部であるシャッタ３２と、搬入ローラ２５により送り込まれたシートＳ，Ｓ１をシャッタ３２に突き当てるための突き当て手段であるパドル３１とを有し、シートＳを直線的な状態で、かつ端部が一致するように順次重ね合わせる重ね合わせ手段９Ａを備えている。
【００４０】
なお、揺動ガイド２８の回動端部は、同図の（ａ）に示すように櫛歯状に切り欠かれており、これにより後端フラッパ２６が回動する際、後端フラッパ２６は揺動ガイド２８により回動が妨げられることがないようになっている。
【００４１】
また、シート待機部９は、アーム３５に保持され、シャッタ３２の動きに連動して支点３５ａを中心に回動する束搬送ローラ３３と、シートを排出する排出ローラ４４を有し、重ね合わされたシート束を搬送する束搬送手段９Ｂを備えている。
【００４２】
次に、このような構成のシート待機部９におけるシート重ね合わせ動作について説明する。
【００４３】
まず、例えば画像形成装置１（画像形成部１Ｂ）から送られてきたシートＳは、図３の（ａ）に示すように搬入ローラ２５により搬送されて後端フラッパ２６を通過し、この後、パドル３１により同図の（ｂ）に示すように先端がシャッタ３２に突き当たるまで搬送される。
【００４４】
次に、不図示の検知センサによりシートＳの先端がシャッタ３２に突き当たったことを検出すると、不図示の制御部は、ソレノイド２７をオンする。これにより、後端フラッパ２６は支軸３７を中心に上方に回動し、同図の（ｃ）に示すようにシート後端を持ち上げる。
【００４５】
ここで、このとき揺動ガイド２８は、通常は自重により不図示のストッパに係止されて図３の（ｂ）に示す位置に待機しているが、後端フラッパ２６が上方回動し、これに伴ってシート後端が持ち上げられると、（ｃ）に示すようにシート後端と共に上方に持ち上げられる。
【００４６】
なお、この後、後端フラッパ２６が更に回転し、その先端がシート後端を抜けると、支えがなくなったシート後端は下降し、これに伴い揺動ガイド２８も下降する。これにより、シートＳは同図の（ｄ）に示すように揺動ガイド２８により下方に規制される。
【００４７】
次に、このようにして揺動ガイド２８によりシートＳが下方に規制された後、ソレノイド２７がオフとなると、後端フラッパ２６は下方回動し、（ｅ）に示すようにシート後端を上から押えながら元の位置に戻る。
【００４８】
次に、このように後端フラッパ２６が元の位置に戻った後、次のシートＳ２が搬送されると、この次に搬送されてきたシートＳ２は、後端フラッパ２６の上面を通過し、先に搬送されたシートＳの上に搬入され、先端（先端部）が一致した状態で、かつ直線的な状態で重ね合わされる。
【００４９】
そして、ステイプルスタッカ１５等による処理が完了し、ステイプルスタッカ１５等へのシートＳの搬入が可能となるまで、この動作を繰り返すことにより、画像形成動作を止めることなくシートＳを待機させることができる。これにより、画像形成装置１の生産性低下を防ぐことができる。
【００５０】
このようにインサータ１４の下流側にシート待機部９を設けることにより、製本処理を行う際に用いられる表紙や合紙を、インサータ１４のシート収納部１４ａ，１４ｂに収納することができると共に、これら表紙や合紙も同時に待機させることができ、製本処理をより効率よく行うことができる。
【００５１】
次に、このようにシート束を待機させた後の束搬送動作について図４を用いて説明する。
【００５２】
ステイプルスタッカ１５等によるシート処理が完了し、ステイプルスタッカ１５等へのシートＳの搬入が可能となり、かつ（ａ）に示すようにシートＳの重ね合わせが終了すると、シャッタ３２は支点３４を中心に回動し、（ｂ）に示すように下方に退避する。
【００５３】
このとき、このシャッタ３２の動きに連動してアーム３５に保持された束搬送ローラ３３が支点３５ａを中心に回動してシートＳに圧接し、この後、この束搬送ローラ３３及び排出ローラ４４により、（ｃ）に示すように重ね合わせたシート束がステイプルスタッカ１５等に送り込まれる。
【００５４】
なお、本実施の形態においては、パドル３１、シャッタ３２、束搬送ローラ３３及び排出ローラ４４は、図２に示す移動台３０に取り付けられており（保持されており）、この移動台３０は、シートサイズに応じてモータ３４とラック３０ａにより、ガイド板３６に沿ってシート搬送方向である左右方向に往復移動可能となっている。なお、このガイド板３６にはパドル３１、ローラ３３，４４、シャッタ３２の移動を妨げることのないようスリット３６ａが設けられている。
【００５５】
ここで図５は、その移動の状態を示したものであり、（ａ）は移動台３０が左端に移動し、ラージサイズのシートを重ね合わせている状態、また（ｂ）は移動台３０がモータ３４により右方向に移動し、スモールサイズのシートを重ね合わせている状態を示している。
【００５６】
このように、シート搬送部１３ａにシート待機部９を設け、所定枚数のシートを直線的な状態で重ね合わせた後、ステイプルスタッカ１５等に搬送するようにすることにより、シートの腰が強い場合でも搬送抵抗が大きくなることはなく、これにより斜行やジャムの発生を防ぐことができる。
【００５７】
また、重ねられるシート枚数を増やすことができるので、無線綴じ製本のような時間のかかる処理を行う場合でも画像形成装置１の生産性を低下させることも無い。さらに、本実施の形態のように、通常のシート搬送路中にシート待機部９を設けることにより、装置の小型化が可能となる。
【００５８】
次に、本発明の第２の実施の形態について説明する。
【００５９】
図６は本実施の形態に係るシート待機部の構成を説明する図である。なお、同図において、図２と同一符号は、同一又は相当部分を示している。
【００６０】
同図において、３９は左右方向に移動可能な移動台であり、この移動台３９には後端フラッパ２６およびソレノイド２７が配置されている。そして、本実施の形態においては、モータ４０によって移動台３９と共に後端フラッパ２６を左右方向に往復移動させることにより、シート後端部を押えるようにしている。
【００６１】
次に、本実施の形態におけるシート重ね合わせ動作について説明する。
【００６２】
まず、例えば画像形成部１Ｂから送られてきたシートＳは、同図の（ａ）に示すように搬入ローラ２５により搬送されて後端フラッパ２６の上を通過し、（ｂ）に示すように２つのパドル装置３１によりシャッタ３２に突き当てられる。次に、モータ４０により移動台３９が（ｃ）に示すように右方向に移動し、この後、後端フラッパ２６がシート後端から離れると、（ｄ）に示すようにソレノイド２７により後端フラッパ２６が上方に回動する。
【００６３】
次に、このように後端フラッパ２６が上方回動した状態で移動台３９を左方向に移動させ、この後、（ｅ）に示すように後端フラッパ２６を下げることにより、シート後端を上面から押えるようにし、この状態で次のシートの搬入を待つ。
【００６４】
そして、この動作を繰り返し所定枚数のシートを重ね合わせた後、既述した第１の実施の形態と同じ手順によりシャッタ３２を開放し、ステイプルスタッカ１５等にシート束を搬送する。
【００６５】
なお、図７はシートサイズにより移動台３９が移動した状態を示しており、（ａ）はラージサイズのシート積載時、（ｂ）はスモールサイズのシート積載時を示している。
【００６６】
次に、本発明の第３の実施の形態について説明する。
【００６７】
図８は本実施の形態に係るシート処理装置を備えた画像形成装置の概略構成を示す図である。なお、同図において、図１と同一符号は、同一又は相当部分を示している。
【００６８】
同図において、４１は、シート搬送路Ｐｃの下方に配された中間トレイであり、本実施の形態では、この中間トレイ４１にシート待機部９を設け、シートを重ね合わせて待機させるようにしている。なお、同図において、４２はシート搬送路Ｐｃに設けられた複数のパス切換フラッパであり、所定のパス切換フラッパ４２をシートサイズに応じて下方に回動させることにより、シート搬送路Ｐｃを通過しているシートを中間トレイ４１に搬入するようにしている。
【００６９】
そして、複数枚のシートを順次、パス切換フラッパ４２の切換により直線的な状態で、かつ端部が一致するように順次重ね合わせた後、既述した第１の実施の形態と同様に束搬送ローラ３３及び排出ローラ４４によりシート処理装置５０に排出するようにする。
【００７０】
そして、このように略水平なシート搬送路Ｐｃと平行して別のシート待機用の中間トレイ４１を設けることにより、より多くのシート、また厚紙等の様々なシートを待機させることが可能となる。
【００７１】
なお、本実施の形態においては、中間トレイ４１をシート搬送路Ｐｃの下方に配したが、この中間トレイ４１をシート搬送路Ｐｃの上方に配しても良い。
【００７２】
また、シート搬送部１３ｂの搬送方向上流側にシートの重送や斜行や画像異常を検出する不図示のセンサを設け、このセンサにより重送や斜行等を検知した場合には、中間トレイ４１にシートを搬送するようにすれば、この中間トレイ４１を異常シート待機トレイとして利用することも可能となる。
【００７３】
次に、本発明の第４の実施の形態について説明する。
【００７４】
図９は本実施の形態に係るシート処理装置を備えた画像形成装置の構成を示す図である。なお、同図において、図１と同一符号は、同一又は相当部分を示している。
【００７５】
本実施の形態においては、インサータ１４の給紙口１４ｄを左側とし、ステイプルスタッカ１５等への搬入口１４ｅも左側に設定しており、このように構成すると、先頭ページから画像形成を行う場合、画像形成部１Ｂにおいてシート上面に画像形成されたシートはステイプルスタッカ１５等で自動的に画像面下向きでページ順に積載され、一枚毎にシート面の反転を行う必要はない。
【００７６】
また、インサータ１４に印刷済のシートをセットする場合にも上面側を印刷面として積載することができ、シートセットの操作性が向上する。なお、本実施の形態においては、インサータ１４からのシートも必要に応じて待機させることができるようシート待機部９は中綴じスタッカ１６よりも上流に位置するステイプルスタッカ１５の上方に配置されている。
【００７７】
ここで、このようにインサータ１４の下流側にシート待機部９を設けることにより、製本処理を行う際に用いられる表紙や合紙を、インサータ１４のシート収納部１４ａ，１４ｂに収納することができると共に、これら表紙や合紙も同時に待機させることができ、製本処理をより効率よく行うことができる。
【００７８】
【発明の効果】
以上説明したように、シート処理部にシートを搬送するシート搬送部にシート待機手段を設け、所定枚数のシートを直線的な状態で重ね合わせた後、シート処理部に搬送するようにすることにより、サイズや材質に拘らず、かつ装置自体を大型化することなく多量のシートを待機させることができる。
【図面の簡単な説明】
【図１】本発明の第１の実施の形態に係るシート処理装置を備えた画像形成装置の概略構成を示す図。
【図２】上記シート処理装置に設けられたシート待機部の構成を説明する図。
【図３】上記シート待機部のシート重ね合わせ動作を説明する図。
【図４】上記シート待機部の束搬送動作を説明する図。
【図５】上記シート待機部の移動台のシートサイズによる移動を説明する図。
【図６】本発明の第２の実施の形態に係るシート処理装置のシート待機部におけるシート重ね合わせ動作を説明する図。
【図７】上記シート待機部の移動台のシートサイズによる移動を説明する図。
【図８】本発明の第３の実施の形態に係るシート処理装置を備えた画像形成装置の概略構成を示す図。
【図９】本発明の第４の実施の形態に係るシート処理装置を備えた画像形成装置の概略構成を示す図。
【図１０】従来のシート処理装置を備えた画像形成装置の概略構成を示す図。
【符号の説明】
１              画像形成装置
９              シート待機部
９Ａ            重ね合わせ手段
９Ｂ            束搬送手段
１３ａ，１３ｂ，１３ｃ
シート搬送部
１４            インサータ
１４ａ，１４ｂ  シート収納部
１４ｃ          シート給送部
１５            ステイプルスタッカ
１６            中綴じスタッカ
２６            後端フラッパ
３０，３９      移動台
３１            パドル
３２            シャッタ
４１            中間トレイ
Ｐｃ            シート搬送路
Ｓ，Ｓ１        シート
【図１】
0004109899.tif 000002
【図２】
0004109899.tif 000003
【図３】
0004109899.tif 000004
【図４】
0004109899.tif 000005
【図５】
0004109899.tif 000006
【図６】
0004109899.tif 000007
【図７】
0004109899.tif 000008
【図８】
0004109899.tif 000009
【図９】
0004109899.tif 000010
【図１０】
0004109899.tif 000011